(57)【要約】【課題】軸筒内に、ばねにより後方に付勢して前後に移動可能に収容した筆記体の筆記先端部を、軸筒内に配したカム溝と、固定カムと、回転カムとノック体で構成されたノック式繰出機構により、筆記体が回転カムに連動して回転することなく軸筒の先端開口部より出没するノック式筆記具において、ノック体のノック操作時における回転カムにより発生するノック音を低減したノック式筆記具を提案する。【解決手段】回転カム２２の凹部２１の筆記体９の後端が当接する底部２８に、回転抑制部材２９を接着して設ける。回転抑制部材２９を介して回転カム２２は筆記体９の後端に連接させるので、ノック体７へのノック操作による回転カム２２の回転の際の回転力や回転スピードは弱まる。【選択図】図２
2009255426.tif 000002
【特許請求の範囲】
【請求項１】
軸筒内にばねにより後方に付勢して前後に移動可能に収容した筆記体の筆記先端部を、カム溝と、該カム溝に係合する突起を周側部に有し先端に凹凸部を有したカム溝に沿って前後に移動可能に設けた固定カムと、カム溝に係合するカム突起を周側部に有し前記凹凸部に噛合う噛合部を有した前端で筆記体の後端部に当接し後端で固定カムに連接しカム溝に沿って前後に移動可能に設けた回転カムと、固定カムを押圧するためのノック体とで構成されたノック式繰出機構により筆記体を回転カムに連動して回転することなく前後動して、軸筒の先端開口部より出没するノック式筆記具において、回転カムと筆記体の後端部との間に回転抑制部材を介在して、ノック操作時の回転カムの回転力や回転スピードを弱めたことを特徴とするノック式筆記具。
【請求項２】
前記回転カムが、筆記体の後端部が挿入する凹部を有した構造であって、前記回転抑制部材を、一方を筆記体の後端面および後端部の周側面に当接し、他方を回転カムの凹部の内側の底部と周側面に当接して介在したことを特徴とする、請求項１に記載のノック式筆記具。
【請求項３】
前記回転カムが、筆記体の後端部が挿入する凹部を有した構造であって、前記筆記体の後端部の周側面にリング状の回転抑制部材を装着し、該回転抑制部材を回転カムの凹部の内側の周側面に当接して介在したことを特徴とする、請求項１に記載のノック式筆記具。
【請求項４】
前記筆記体の後端部に第１の回転抑制部材を設け、前記回転カムの筆記体の後端部に当接する部分に第２の回転抑制部材を設け、第１の回転抑制部材と第２の回転抑制部材が当接してなる、請求項１に記載のノック式筆記具。
【発明の詳細な説明】
【技術分野】
【０００１】
本発明は、カム溝、固定カム、回転カムおよびノック体で構成されたノック式繰出機構を有したノック式筆記具に関する。
【背景技術】
【０００２】
従来より、軸筒内にばねにより後方に付勢して前後に移動可能に収容した筆記体の筆記先端部を、カム溝と、該カム溝に係合する突起を周側部に有し先端に凹凸部を有したカム溝に沿って前後に移動可能に設けた固定カムと、カム溝に係合するカム突起を周側部に有し前記凹凸部に噛合う噛合部を有した前端で筆記体の後端部に当接し後端で固定カムに連接しカム溝に沿って前後に移動可能に設けた回転カムと、固定カムを押圧するためのノック体とで構成されたノック式繰出機構により筆記体を回転カムに連動して回転することなく前後動して、軸筒の先端開口部より出没するノック式筆記具は知られている。こうしたノック式筆記具においては、ノック体を押圧すると、ノック体に押圧された固定カムは、固定カムに設けた突起がカム溝に係合しているので回転することなく前進し、回転カムも、該回転カムに設けたカム突起がカム溝に係合して前記突起により押圧されるので、固定カムに連動して前進する。回転カムに当接した筆記体も連動して前進し、筆記先端部を軸筒の先端開口部から突出する。回転カムに設けたカム突起がカム溝の先端に来ると回転してカム溝の係止部に係止し、回転カムの後退は抑制されるので、筆記先端部は軸筒の先端開口部から突出した状態を維持する。筆記先端部を軸筒内に没入させるには、再度ノック体を押圧して回転カムを前進させて、回転カムは回転して回転カムのカム溝の係止部との係止を解除する。それにより、回転カムおよび固定カムはばねにより後端側へ付勢された筆記体を介して後方へ押圧されるので後退し、筆記体も後退して筆記先端部は軸筒内に没入する。
【０００３】
しかし、こうしたカム溝、回転カム、固定カムとで構成される繰出機構を有したノック式筆記具においては、筆記体の筆記先端部を軸筒の先端開口部から突出させるためのノック操作時に、かならずノック音が発生していた。こうしたノック音は、会議中等、僅かな音が響く環境下においては、周囲の人達に不快感を与える虞がある。また高価格な筆記具に至っては、必要以上に大きいノック音は高級感を損ねるという問題がある。本発明者は、こうしたノック音を低減するために種々検討した結果、ノック音は、回転カムが回転してカム溝の係止部に係止する際の衝接音であり、また筆記体の筆記先端部を軸筒の先端開口部に没入させるためのノック操作により、回転カムは前進して回転し、カム突起が隣のカム溝の壁面に衝接した際に発生する衝接音であることが判った。
【０００４】
この衝接音の発生の原因について、図７〜図９を用いて詳述するが、図７は一般的な固定カムの側面図であり、図８は一般的な回転カムの側面図であり、図９はノック式筆記具におけるカム溝と、固定カムの凹凸部と突起と、回転カムの噛合部とカム突起の位置関係を示した概念図である。
【０００５】
一般的に固定カム５１は、図７に示すように、先端に山型状の凹凸部５２を有し、外周面に、筆記具の軸筒内に配したカム溝に係合する複数の突起５３を周状に配列した形状となっており、突起５３は凹凸部５２の頂部５２ａの線状（一点差線状）に位置するように形成してある。一般的に回転カム５４は、図８に示すように、カム溝に係合する複数のカム突起５５を外周面に周状に設け、カム突起５５の後端（図において上側部分）を前記凹凸部５２に噛合う傾斜面５６ａで構成した噛合部５６を設けてある。
【０００６】
図９に示すように、固定カム５１の突起５３および回転カム５４のカム突起５５をカム溝５７に係合した際に、凹凸部５２の頂部５２ａは噛合部５６の傾斜面５６ａの中間点に位置するように設けてある。ノック体（図示せず）を軸筒の先端方向に押圧すると、ノック体に連動して固定カム５１は深いカム溝５７−１と浅いカム溝５７−２に係合した突起５３に導かれて、固定カム５１に連接した回転カム５４は深いカム溝５７−１に係合したカム突起５５ａ、５５ｂに導かれて前進する。カム突起５５ａ、５５ｂが深いカム溝５７−１の先端に達してカム溝５７−１から離脱すると、固定カム５１の凹凸部５２の頂部５２ａは回転カム５４の噛合部５６の傾斜面の中間に位置しており、回転カム５４はばね（図示せず）により後方へ付勢された筆記体（図示せず）の後端部と当接しているので、回転カム５４は後方へ後退しようとして右側から左側に回転し（図において、噛合部５６の傾斜面５６ａが右下がりのため）、回転カム５４の噛合部５６は固定カム５１の凹凸部５２を滑って、カム突起５５ａは突片５８ａの先端の傾斜壁面５９−１に衝接する。この時に、１つ目のノック音が発生する。
【０００７】
次に、回転カム５４のカム突起５８ａの噛合部５６が前記傾斜壁面５９−１を滑り、カム突起５５ａの後端（図において上側）が係止部６０を構成する隣の突片５８ｂに衝接して係止部６０に係止する。この時に、回転カム５４のカム突起５５ａが突片５８ｂに衝接することによる２つ目のノック音が発生する。
【０００８】
筆記体の筆記先端部の軸筒の先端開口部への没入時は、ノック体（図示せず）の押圧により固定カム５１および回転カム５４は前進し、前記した理由と同様な理由から回転カム５４が後方へ後退しようとして回転し（図において右側から左側方向に）、係止部６０より離脱すると、回転カム５４の噛合部５６は固定カム５１の凹凸部５２を滑って、カム突起５５ａは突片５８ｂの先端の傾斜壁面５９−２に衝接する。この時に、３つ目のノック音が発生する。
【０００９】
次に、回転カム５４のカム突起５８ａの噛合部５６が前記傾斜壁面５９−２を滑り、カム突起５５ａの後端（図において上側）が隣の突片５８ｃの壁面６１に衝接して、カム溝５７−１に沿って後退し、元の位置に復帰する。この時に、回転カム５４のカム突起５５ａが突片５８ｃに衝接することによる４つ目のノック音が発生する。
【００１０】
したがって、こうした４つのノック音を低減するには、回転カムの回転力や回転スピードを弱めればよいことが判り、本発明に至った。軸筒内に筆記体を回転することなく収容した構造のノック式筆記具においては、回転カムの回転力や回転スピードを弱めるには、筆記体の後端と回転カムの該筆記体の回転カムに当接する部分とにおける摩擦抵抗を高くすることで問題を解消できるが、従来、押出式ボールペン（ノック式ボールペン）において、回転カム（２０２）とボール付インキ管（３）の末端との間に筆圧緩衝用の弾性部材（５）を介在させた考案が実開昭５７−１６３３７６号公報により提案されており、筆圧緩衝用の弾性部材（５）としてコイルスプリングが開示されているが、あくまでも筆圧緩衝用としての弾性部材であり、回転カム（２０２）が回転する際にその回転力や回転スピードを弱めるものではない。また、特許第３１９７４４４号公報には、リフィールの後端が衝合するノック部の衝接部に衝撃吸収のための弾性体を設ける技術が開示されているが、このノック式筆記具は、カム溝、固定カム、回転カムを具備したノック式の繰出機構ではなく、前記弾性体は回転カムの回転力や回転スピードを弱めるものではない。
【特許文献１】実開昭５７−１６３３７６号公報
【特許文献２】特許第３１９７４４４号公報
【発明の開示】
【発明が解決しようとする課題】
【００１１】
本発明は、軸筒内に、ばねにより後方に付勢して前後に移動可能に収容した筆記体の筆記先端部を、軸筒内に配したカム溝と、該カム溝に係合する突起を周側部に有し先端に凹凸部を有した、カム溝に沿って前後に移動可能に設けた固定カムと、カム溝に係合するカム突起を周側部に有し前記凹凸部に噛合う噛合部を有した、前端で筆記体の後端部に当接し後端で固定カムに連接しカム溝に沿って前後に移動可能に設けた回転カムと、固定カムを押圧するためのノック体で構成されたノック式繰出機構により、筆記体が回転カムに連動して回転することなく軸筒の先端開口部より出没するノック式筆記具において、ノック体のノック操作時における回転カムにより発生するノック音を低減したノック式筆記具を提案するものである。
【課題を解決するための手段】
【００１２】
本発明は、
「１．軸筒内にばねにより後方に付勢して前後に移動可能に収容した筆記体の筆記先端部を、カム溝と、該カム溝に係合する突起を周側部に有し先端に凹凸部を有したカム溝に沿って前後に移動可能に設けた固定カムと、カム溝に係合するカム突起を周側部に有し前記凹凸部に噛合う噛合部を有した前端で筆記体の後端部に当接し後端で固定カムに連接しカム溝に沿って前後に移動可能に設けた回転カムと、固定カムを押圧するためのノック体とで構成されたノック式繰出機構により筆記体を回転カムに連動して回転することなく前後動して、軸筒の先端開口部より出没するノック式筆記具において、回転カムと筆記体との間に回転抑制部材を介在して、ノック操作時の回転カムの回転力や回転スピードを弱めたことを特徴とするノック式筆記具。
２．前記回転カムが、筆記体の後端部が挿入する凹部を有した構造であって、前記回転抑制部材を、一方を筆記体の後端面および後端部の周側面に当接し、他方を回転カムの凹部の内側の底部と周側面に当接して介在したことを特徴とする、前記１項に記載のノック式筆記具。
３．前記回転カムが、筆記体の後端部が挿入する凹部を有した構造であって、前記筆記体の後端部の周側面にリング状の回転抑制部材を装着し、該回転抑制部材を回転カムの凹部の内側の周側面に当接して介在したことを特徴とする、前記１項に記載のノック式筆記具。
４．前記筆記体の後端部に第１の回転抑制部材を設け、前記回転カムの筆記体の後端部に当接する部分に第２の回転抑制部材を設け、第１の回転抑制部材と第２の回転抑制部材が当接してなる、前記１項に記載のノック式筆記具。」
である。
【００１３】
前記回転抑制部材としては、表面の摩擦抵抗の高いものが好ましい。例えば、固形ゴムや発砲プラスチック、あるいは表面を粗面加工したプラスチック、金属、木材、皮革、紙材、布材、石材、粘土等さまざまなものが挙げられ、各材料を単独あるいは、筆記体の方にある種の回転抑制部材を装着し、回転カムの方に他種の回転抑制部材を装着して回転抑制部材同士を当接するなどして２種以上を組み合わせて用いることもできる。回転抑制部材として好適には、種類の多さや加工性、耐久性また軽量かつ入手のしやすさから鑑みて、固形ゴムがよい。固形ゴムとしては、天然ゴム、イソプレン系ゴム、ブタジエン系ゴム、ジエン系特殊ゴム、オレフィン系ゴム、エーテル系、ポリスルフィド系およびウレタン系ゴム、フッ素系ゴム、シリコーンゴム、熱可塑性エラストマー等がある。
【発明の効果】
【００１４】
本発明のノック式筆記具は前記したような構造なので、ノック操作により、筆記体の筆記先端部を軸筒の先端開口部から出没させる際の、回転カムのカム突起がカム溝の係止部に係止するときに係止部を形成する突片に衝接して発生する衝接音や、筆記体の筆記先端部を軸筒の先端開口部から没入させる際の、回転カムのカム突起が隣のカム溝に係合する際にカム溝を形成する突片に衝接して発生する衝接音は、回転カムの回転力や回転スピードが弱まるので、低減する。
【００１５】
請求項２に記載された発明とすることで、回転カムに筆記体の後端部を挿入する凹部を有した構造においては、回転抑制部材の表面の摩擦抵抗が比較的に低いものであっても、回転抑制部材が筆記体の後端部に接する面積が大きくなり、回転カムの回転力や回転スピードを弱めることができ、回転抑制部材として種々の材質のものが採用できるという利点がある。
【００１６】
請求項３に記載された発明とすることで、回転カムに筆記体の後端部を挿入する凹部を有した構造においては、簡単に回転カムの筆記体の後端部に当接する部分と該部分に当接する筆記体の後端部との間に回転抑制部材を介在できる。
【００１７】
請求項３に記載された発明とすることで、回転抑制部材の表面の摩擦抵抗が比較的に低いものであっても、回転カムの回転力や回転スピードを弱めることができ、回転抑制部材として種々の材質のものが採用できるという利点がある。
【発明を実施するための最良の形態】
【００１８】
本発明のノック式筆記具は、従来より知られている、軸筒内にばねにより後方に付勢し回転することなく前後に移動可能に収容した筆記体の筆記先端部を、カム溝と、固定カムと、回転カムと、固定カムを押圧するためのノック体で構成されたノック式繰出機構により、軸筒の先端開口部より出没させるノック式筆記具において、回転カムの筆記体の後端部に当接する部分に、回転抑制部材を固着するものである。
【実施例】
【００１９】
本実施例を図１〜図６を用いて説明するが、図１は、第１の実施例であるノック式万年筆の縦断面図である。図２は、図１における後方の繰出機構部分の要部の拡大図である。図３は、第２の実施例を示すノック式万年筆の繰出機構部分の要部の拡大図である。図４は、第３の実施例を示すノック式万年筆の繰出機構部分の要部の拡大図である。図５は、回転カムに筆記体の後端部を挿入する凹部を有さない構造の場合の第４の実施例を示すもので、ノック式万年筆の繰出機構部分の要部の拡大図である。図６は、回転カムに筆記体の後端部を挿入する凹部を有さない構造で、２種類の回転抑制部材を用いた場合の第５の実施例を示すもので、ノック式万年筆の繰出機構部分の要部の拡大図である。本実施例ではノック式筆記具としてノック式万年筆を例にあげて述べるが、これに限定されるものではない。
【００２０】
第１の実施例のノック式万年筆１は、従来のノック式万年筆と同様な構造であり、図１および図２に示すように、軸筒２を前軸２ａと後軸２ｂとで構成し、前軸２ａの後端（図面において右側）には雄ねじ部３を有した連結部材４が固着してあり、後軸２ｂの前端（図面において左側）には雌ねじ部５を有した金輪６を固着してあり、連結部材４の雄ねじ部３に金輪６の雌ねじ部５を螺合することで前軸２ａと後軸２ｂとを着脱自在に連接してある。後軸２ｂの後方部には、ノック体７を前後動可能に配設してある。軸筒２内には、先端にペン先８を有しその後方にインク貯蔵部（図示せず）を有した筆記体９を収容してある。前軸２ａの前方部には、先端開口部１０を有する先端カバー１１を固設してある。また、先端カバー１１の内側の前軸２の前方部には中空パイプ１２を装着してあり、該中空パイプ１２の前方には弾性を有し前後が開口した弾性先首１３を装着し、該弾性先首１３の前端傾斜面１４を押えばね１５により弾発された蓋体１６で密閉してある。なお、筆記体９はスプリング１７により後方へ弾発してある。
【００２１】
従来のノック式筆記具に見られるように、後軸２ｂの後方部の内壁面にはカム溝１８を形成してある（図２を参照）。前記ノック体７は両端を開口してあり、後軸２ｂの後端開口部２ｂａより突出させて設けてある。ノック体７には有底で薄肉の金属部材からなるノックカバー１９が装着してある。ノック体７の前方には、従来の固定カムと同様な、先端に山型状の凹凸部（図示せず）を有し、外周面に、前記カム溝１８に係合する複数の突起（図示せず）を周状に配列してなる固定カム部２０を一体に設けてあり、突起をカム溝１８に係合して配してある。
【００２２】
固定カム部２０の前方には、前記カム溝１８に係合する複数のカム突起（図示せず）を外周面に周状に設け、固定カム部２０の凹凸部に噛合う噛合部（図示せず）を有し、筆記体９の後端９ａが挿入可能な凹部２１を有した構造の回転カム２２を、カム突起をカム溝１８に係合し、カム溝１８に沿って前後に移動可能に設けてある。回転カム２２にはノック体７内に位置する軸部２３を有している。回転カム２２とノック体７の固定カム部２０との間にばね２４を設けて、双方が離間する方向へ付勢してある。軸部２３の後方には突部２３ａを形成し、ノック体７の固定カム部２０の内壁面にも突部２０ａを形成して、回転カム２２がノック体７から離脱するのを防止している（図２を参照）。
【００２３】
従来のノック式万年筆と同様に、図１に示すように、筆記体９が軸筒２内を前後動する際に回転しないように、前記連結部材４の内壁面のペン先８の表面に対向する周状の位置に設けた連結部材４の前端から後端に延びた１条の凹溝２５と、前軸２ａの内壁面に設けた、前記凹溝２５と同幅で凹溝２５に連通し、長手方向に延びた係止溝２６と、周状においてペン先８の表面８ａと同位置上の筆記体９の周側面上に設けた係合突起２７とで構成し、該係合突起２７を凹溝２５と係止溝２６に係合して、筆記体９が凹溝２５と係止溝２６に沿って前後に移動可能とした回転抑制手段を設けてある。連結部材４に設けた凹溝２５は、雄ねじ部３においては内外を貫通した切欠溝（図示せず）となっており、筆記体９を前軸２ａ内に挿入する際に、係合突起２７が凹溝２５に係合する際の目印としてある。
【００２４】
本発明の第１の実施例では、前記回転カム２２の凹部２１の筆記体９の後端が当接する底部２８に、ニトリルゴムからなる回転抑制部材２９を接着して設け、該回転抑制部材２９を介して回転カム２２は筆記体９の後端に連接させ、ノック体７へのノック操作による回転カム２２の回転の際の回転力や回転スピードを弱めるようにしてある。
【００２５】
図３に示す第２の実施例は、前記ノック式万年筆１において、回転カム２２の凹部２１の筆記体９の後端９ａが当接する底部２８に、筆記体９の後端面９ａａおよび後端部の周側面９ａｂの一部を被覆するようにコ字型形状に形成したニトリルゴムからなる回転抑制部材３０を接着し、その回転カム２２の凹部２１に筆記体９の後端９ａを挿入し、回転抑制部材３０を筆記体９の後端面９ａａおよび後端部の周側面９ａｂの一部に当接させたものである。
【００２６】
図４に示す第３の実施例は、前記ノック式万年筆１において、筆記体９の後端が回転カム２２の凹部２１に挿入する後端部分９ａの周側面にリング状の回転抑制部材３１を装着し、該回転抑制部材３１を回転カム２２の凹部２１の内側の周側面に当接させたものである。
【００２７】
図５に示す第４の実施例は、前記ノック式万年筆１において、回転カムに筆記体の後端が挿入する凹部を有していない構造の場合の実施例で、第１の実施例と同様にして固定カム部２０の前に配した回転カム３２の先端面３２ａに、ニトリルゴムからなる回転抑制部材３３を接着し、該回転抑制部材３３を筆記体９の後端面９ａａに当接させたものである。
【００２８】
図６に示す第５の実施例は、前記第４の実施例と同様に、回転カムに筆記体の後端が挿入する凹部を有していない構造の場合の実施例で、筆記体９の後端部９ａが滑りやすい金属製で構成されている場合などに対応するものである。回転カム３２の先端面３２ａに、発泡プラスチックからなる回転抑制部材３４を接着し、筆記体９の後端面９ａａに表面を粗面加工したポリプロピレンからなる回転抑制部材３５を接着し、回転抑制部材３４と回転抑制部材３５とを当接させたものである。なお、図示していないが、筆記体９の後端面９ａａに回転抑制部材３３を接着して設ける替りに、ノック式ボールペン（図示せず）等においては、前記回転抑制部材３５でインキを収容したインキ筒の後端を閉塞する尾栓を形成し、尾栓の後端が回転カム３２の先端面３２ａに設けた回転抑制部材３４に当接する構造としてもよい。
【産業上の利用可能性】
【００２９】
本発明は、軸筒内に配したカム溝、回転カム、固定カムおよびノック体とで構成されたノック式繰出機構を有した、ボールペンやマーカー等のノック式筆記具や、修正液等を収容した塗布具、化粧液等を収容したノック式の化粧具、描画用等の固形芯を備えた描画具等において、ノック操作時に発生するノック音を低減する場合に、利用することができる。
【図面の簡単な説明】
【００３０】
【図１】第１の実施例であるノック式万年筆の縦断面図である。
【図２】図１における後方の繰出機構部分の要部の拡大図である。
【図３】第２の実施例を示すノック式万年筆の繰出機構部分の要部の拡大図である。
【図４】第３の実施例を示すノック式万年筆の繰出機構部分の要部の拡大図である。
【図５】回転カムに筆記体の後端部を挿入する凹部を有さない構造の場合の第４の実施例を示すもので、ノック式万年筆の繰出機構部分の要部の拡大図である。
【図６】回転カムに筆記体の後端部を挿入する凹部を有さない構造で、２種類の回転抑制部材を用いた場合の第５の実施例を示すもので、ノック式万年筆の繰出機構部分の要部の拡大図である。
【図７】一般的な固定カムの側面図である。
【図８】一般的な回転カムの側面図である。
【図９】ノック式筆記具におけるカム溝と、固定カムの凹凸部と突起と、回転カムの噛合部とカム突起の位置関係を示した概念図である。
【符号の説明】
【００３１】
１  ノック式万年筆
２  軸筒
２ａ  前軸
２ｂ  後軸
９  筆記体
１８  カム溝
２０  固定カム部
２２、３２  回転カム
２９、３０、３１、３３、３４、３５  回転抑制部材
【図１】
2009255426.tif 000003
【図２】
2009255426.tif 000004
【図３】
2009255426.tif 000005
【図４】
2009255426.tif 000006
【図５】
2009255426.tif 000007
【図６】
2009255426.tif 000008
【図７】
2009255426.tif 000009
【図８】
2009255426.tif 000010
【図９】
2009255426.tif 000011